Podtech/llm-jp-corpus-v4-ja_patent huggingface dataset:
(57)【要約】【課題】土嚢袋取付具を保管時に深く積み重ねて嵩張らないようにし、保管スペースを少なくできるようにする。【解決手段】円環状の小径の枠体１２と大径の足枠体１３を三本の足１４により周方向に等間隔で連結して脚１４の外接円が載頭円錐形をなし、各脚１４には、上部に外向きに屈折する突部１５を形成し、また複数の脚１４の一つにく字形に屈折した紐掛け１６を脚外側に固着する。枠体１２は、その外径が脚１４のどの部分の内接円の径よりも小さいか、或いは同じ径に形成される。【選択図】図５
0003140991.tif 000002
【実用新案登録請求の範囲】
【請求項１】
環状の枠体と、該枠体よりサイズが大で相似形をなし、足枠体を複数本の脚で連結して脚の外接縁が載頭円錐形をなし、土嚢袋が枠体に上方より装入され、開口部を広げた状態で支持される土嚢袋取付具であって、前記脚は下端が足枠体の内側に固着されることを特徴とする土嚢袋取付具。
【請求項２】
脚上部には外向きに突出して折り返した袋開口部に引っ掛かる突部を形成したことを特徴とする請求項１記載の土嚢袋取付具。
【考案の詳細な説明】
【技術分野】
【０００１】
本考案は、土嚢袋に土を入れる際、土嚢袋を支持するのに用いる土嚢袋取付具に関する。
【背景技術】
【０００２】
土のうは、強度のある土嚢袋に土を入れ、開口部を紐で縛って閉じたものよりなっており、土を入れる際には通常、一人が土嚢袋を開口部を拡げて持ち、別の人がスコップ等で土を開口部より土嚢袋に入れているが、土嚢袋を開いた状態に取付けて支持し、一人で土の詰め込み作業を行えるようにした土嚢袋の取付具も知られる。
【０００３】
図１は、特許文献１に開示される、この種取付具の例で、環状の小径の枠体１と大径の足枠体３を脚２で連結し、脚２の外接円が載頭円錐形をなし、各脚２の上端には内方に突出する凸部４を形成している。土嚢を作る際には、土嚢袋を取付具の枠体１に上方より装入し、袋の開口部を拡げて枠体１の外周側に折り返したのち、凸部４において紐を縛り付けて土嚢袋を支持し、この状態で土を入れる作業を行っている。この種の取付具が特許文献２にも開示されている。
【特許文献１】実用新案登録第３１１９７１８号
【特許文献２】実用新案登録第３１２６７４１号
【考案の開示】
【考案が解決しようとする課題】
【０００４】
土嚢袋を多量に作る必要があるときには、土嚢袋取付具も数多く使用される。こうした取付具を不使用時に保管する際には、積み重ねられるが、図１に示す取付具は、図２に示すように脚２の外接円の径が足枠体３の内径と一致する箇所までしか被せて積み重ねることができない。
【０００５】
本考案は、保管時に土嚢袋取付具をより深く積み重ねて嵩張らないようにし、保管スペースを少なくできるようにしたもので、そのための土嚢袋取付具を提供することを目的とする。
【課題を解決するための手段】
【０００６】
請求項１に係る考案は、環状の枠体と、該枠体よりサイズが大で相似形をなし、足枠体を複数本の脚で連結して脚の外接縁が載頭円錐形をなし、土嚢袋が枠体に上方より装入され、開口部を広げた状態で支持される土嚢袋取付具であって、前記脚は下端が足枠体の内側に固着されることを特徴とし、
請求項２に係る考案は、請求項１に係る考案において、脚上部には外向きに突出して折り返した袋開口部に引っ掛かる突部を形成したことを特徴とする。
【考案の効果】
【０００７】
請求項１に係る考案によると、脚の外接円は脚上端が最小径、脚下端が最大径をなし、載頭円錐形の下端の外径は足枠体の内接円と同径をなすため、土嚢袋取付具は足枠体が上下に重なった状態になるまで積み重ねることが可能となり、嵩張らないようにすることができる。
【０００８】
請求項２に係る考案によると、脚に形成した突部が土嚢袋開口部に引掛かり、土を入れる量が多くなるほど袋開口部に食い込んで保持され、ずり下がりにくくなるほか、紐で縛り付けた状態において突部が抜け止となり、土嚢袋を確実に支持できること、突部は外向きに形成されているため、土嚢袋取付具を積み重ねる際、枠体が突部に当たることなく積み重ねることができ、したがって縛り付けた紐の抜け止を行う突部を設けていても足枠体が上下に重なるまで取付具を積み重ねることができること等の効果を奏する。
【考案を実施するための最良の形態】
【０００９】
以下、本考案の実施形態の土嚢袋取付具について図面により説明する。
図３に示す土嚢袋取付具１１は、円環状の小径の枠体１２と大径の足枠体１３を複数の脚１４（図において脚１４は三本示してあるが、四本以上であってもよい）により周方向に等間隔で連結して脚１４の外接円が載頭円錐形をなし、各脚１４には、上部に外向きに屈折する突部１５を形成し、また複数の脚１４の一つにく字形に屈折した紐掛け１６が脚外側に固着されている。上述する枠体１２は、図示するようにその外径が脚１４のどの部分の内接円の径よりも小さいか、或いは同じ径に形成するのが好ましい。
【００１０】
本実施形態の土嚢袋取付具１１は以上のように構成され、土嚢袋１８は次のようにして取付けられる。
【００１１】
土嚢袋１８は開口部に紐通しを形成し、この紐通しに紐１９を通してなるもので、枠体１２の上方より取付具１１に装入する。そして開口部を拡げ、枠体１２の外周側に折り返して突部１５に引掛け、その下側で紐も１９を引出して開口部を窄め、紐掛け１６に引掛けて食い込ませて固定するか（図４）、或いは結着し、開口部を縛り付ける。
【００１２】
不使用時に格納して保管するときには、土嚢袋取付具１１を積み重ねる。積み重ねは、土嚢袋取付具１１の上から別の土嚢袋取付具１１を被せて積み重ねる。積み重ねは、図５に示すように枠体１２及び足枠体１３がそれぞれ下側の取り付け具１１の枠体１２及び足枠体１３に重なり、紐掛け１６が互いに干渉しないように周方向に位置をずらして行われる。
【００１３】
本実施形態の土嚢袋取付具１１におると、積み重ねは枠体１２及び足枠体１３が重なるまで行えるため、格納時に嵩張らず、保管スペースを少なくすることができる。
【００１４】
上記実施形態の土嚢袋取付具１１は、枠体１２及び足枠体１３が共に円形をなしているが、別の実施形態では矩形、好ましくは正方形に形成される。
【図面の簡単な説明】
【００１５】
【図１】従来の土嚢袋取付具の斜視図。
【図２】図１に示す取付具を積み重ねた時の要部の断面図。
【図３】本考案に係る土嚢袋取付具の斜視図。
【図４】図３に示す取付具に土嚢袋を取付けた斜視図。
【図５】図３に示す取付具を積み重ねたときの要部の断面図。
【符号の説明】
【００１６】
１１・・土嚢袋取付具
１２・・枠体
１３・・足枠体
１４・・脚
１５・・突部
１６・・紐掛け
１８・・土嚢袋
１９・・紐
【図１】
0003140991.tif 000003
【図２】
0003140991.tif 000004
【図３】
0003140991.tif 000005
【図４】
0003140991.tif 000006
【図５】
0003140991.tif 000007
(57)【要約】      （修正有）【課題】室内温風暖房器から排出される温風を分岐して多目的に利用する。【解決手段】四隅に設けた主柱１と数段の横桟２からなり、横桟にハンガーポール４、網板を設け、全周を耐熱布で覆った乾燥ケースで、天板６に湿気除去用の樋７を設けると共に下端にケース本体の各方角から温風挿入用のホースＡを受けられるようにし、ケース本体にキャスター１２を設け、部屋の内外に移動可能とし、四季を通して利用できる多目的な乾燥ケースとする。【選択図】図１
0003140918.tif 000002
【実用新案登録請求の範囲】
【請求項１】
四隅に主柱（１）を立設し、主柱（１）に数段に分けて横桟（２）を設けて骨組を構成し、最上部に曲面或は傾斜面を形成した天板（６）を設け、前記横桟（２）に上方からハンガーポール（４）網板（５）を設け、最下段に底板（８）を配し、側面全面に耐熱布Ｂを張設し、正面を開閉口とした簡易収納ケースで、下段に温風ホースＡ挿入板（９）を設けて温風ホースを挿脱可能に設けたことを特徴とした乾燥ケース温風利用の多目的乾燥ケース。
【請求項２】
天板（６）の下端周囲に樋（７）を設け、該樋（７）の終端に露受け器（７１）を設け、外面に隠し板（１０）を設けた請求項１に記載の温風利用の多目的乾燥ケース。
【請求項３】
ホース挿入穴（９１）のある温風ホースＡ挿入板（９）を各辺ごとに設け、該温風ホース挿入板（９）に穴隠し板（１０）を重ねて設けた２重構造とした請求項１に記載の温風利用の多目的乾燥ケース。
【考案の詳細な説明】
【技術分野】
【０００１】  本考案は、室内温風暖房器からの温風を分岐して多目的に利用できる乾燥ケースに関する。
【背景技術】
【０００２】  従来から室内暖房器は、雪国地方ではその暖房能力が認められて広く利用されている。そしてこの温風を送風管で分流してコタツや衣料の乾燥に応用することが考えられ、いくつかの機種が市販されている。
【特許文献１】  特開平０５−２０３２６４号公報
【考案の開示】
【考案が解決しようとする課題】
【０００３】  本考案は、このような従来からの温風暖房器の温風の利用を一層効率のよいものとして室内に配置して多目的に広く利用することを考えた。試作研究を重ねた結果本考案を完成させたものである。
【課題を解決するための手段】
【０００４】  考案者は、この点に鑑み鋭意試作研究を重ねた結果完成させたものであって、本考案の温風利用の多目的乾燥ケースは、図示するように全面を耐熱布Ｂで覆い、内部には衣料（洗濯物など）を掛けるハンガーポール（４）を設置することは勿論のこと、脱着可能な網板（５）などを配して雨靴やスニーカー等を置いて乾燥用とし、乾燥ケースの天板を、ケース内の湿気を除去しやすくするため、樋（７）を設けて乾燥を早めると共に、ケース下方には暖房器からの温風を受け入れるホースＡ挿入板（９）を設ける。【０００５】  この温風ホース挿入板（９）は、ケース正面のみならず、ケースの四辺にも取付けられるように４枚設け、乾燥ケースを移動配置する位置に適した向きに無理なくホースが取付けられる。このようにすると、ホースＡの挿入されていない面には穴（９１）の明いたままのホース挿入板（９）があるため、この面には隠し板（１０）を装着自在に重ねて設けることにより、ホース挿入穴（９１）は塞がれて外観もよくなり外気の侵入もなくなる。このような隠し板（１０）は、図示するようにケース上部の樋（７）の部分にも、樋隠し板（１０）として設けることによって、樋の配置が隠され外観を美しくすることもできる。
【考案の効果】
【０００６】  本考案の多目的温風利用の多目的乾燥ケースは温風暖房器の温風を分岐して温風乾燥として利用するため省エネは勿論のこと、脱着可能な網板等を設けるため、種々多様な雑品の乾燥ケースとして利用でき雪の多い北国での利用効果は顕著であり、また全面を耐熱布で覆うため冬季に温風を利用するのみならず四季を通じてベランダ等に配置すれば、温室のようにも使用でき、加えてキャスターを設けることによって配置の移動も簡単であり、この使用効果はきわめて顕著である。
【考案を実施するための最良の形態】
【０００７】  添付図面により本考案の実施するための最良の形態を説明すると、図１は本考案の全体の構造を示す斜視図であって、図２はケースの分解説明図、図３はケース下部の詳細説明図を示している。【０００８】  図１において、本考案の多目的に使用できる乾燥ケースは、四隅に主柱（１）を立設し、この主柱（１）に対して、横桟（２）を上方から数段設けて全体の骨組を形成する。そして、この骨組の最上部に天板（６）を設ける。この天板（６）はアーチ状の曲面に形成するか、図示のように斜面として形成する。そしてこの横桟（２）に上方からハンガーポール（４）を設け、最下段に底板（８）を配置して全側面に耐熱布Ｂを張設し、図示していないが正面に開閉口を設けて簡易収納ケースを形成する。【０００９】  この収納ケースの下段には温風暖房器から導入した温風ホースＡを挿入する穴（９１）を設けた温風ホースＡ挿入板（９）を設けて温風乾燥ケースとする。図示の（１２）はキャスターであって、本考案の温風乾燥機は室内からベランダまで移動可能とすることができる。【００１０】  図２においてこの収納ケースの最上部の天板（６）の下端の周囲には樋（７）を設けて、天板（６）の内面に付く露を滴下させ、樋（７）の終端には露受け器（７１）を着脱自在に設けることとし、この樋（７）の外面には図示するように樋隠し板（１０）を設けて外観の美化を図ることもできる。【００１１】  図３は収納ケース下部に設ける温風ホースＡを挿入する穴（９１）のあるホース挿入板（９）及びこのホース挿入板の穴（９１）を隠す隠し板（９２）の実施例図であって、このホース挿入板（９）はケースの各辺用として用意してあり、したがって挿入穴（９１）の位置もそれぞれあって、ケースの移動位置と温風ホースＡが無理なく使用できることとする。またこの挿入板（９）には穴隠し板（１０）が２重に作られてあって、温風ホースＡを挿入していない穴（９１）の辺にある板（９）はこの隠し板（１０）を当って外気の侵入を防ぐ構造とする。
【産業上の利用可能性】
【００１２】  上述の如く、本考案は温風暖房器の温風を洗濯物などの乾燥に利用するもので、省エネとして雪国の生活に適していて、しかも多目的の収納ケースとして使用できる。このため冬の長い雪国での利用度は高いこと請け合いである。そして、暖かい季節になれば衣類の収納ケースとして利用できるため多目的に使用可能で、本考案の使用範囲は広い。
【図面の簡単な説明】
【００１３】
【図１】  本考案の構造説明図
【図２】  多目的温風乾燥ケースの分解説明図
【図３】  隠し板の実施例図
【符号の説明】
【００１４】  （１）…主柱
（２）…横桟
（４）…ハンガーポール
（５）…網板
（６）…天板
（７）…樋
（７１）…露受け器
（８）…底板
（９）…温風ホース挿入板
（９１）…温風ホース挿入穴
（１０）…隠し板
【図１】
0003140918.tif 000003
【図２】
0003140918.tif 000004
【図３】
0003140918.tif 000005
(57)【要約】      （修正有）【課題】大型カメラを長時間携帯時の首部痛・肩こり・頭痛発症などの問題を解決し、且つ、カメラ衝突時の対人対物保護やカメラ本体保護などの問題点をも解決し、カメラを他者に見せつけたくない場合のカメラ隠し機能を持たせる。【解決手段】カメラの双方の吊り金具から各々、着脱自在及び長さ調節可能な輪状のショルダ−ストラップを利用者の頭をくぐして肩上から反対側の脇下にまわし掛けし、２本のストラップを使用者の背面上部でエックス型に交差させカメラ荷重を両肩背面部に分散させる。また、ストラップのカメラ上部には着脱自在の保護布を取り付ける。【選択図】図１
0003140915.tif 000002
【実用新案登録請求の範囲】
【請求項１】
カメラの双方のストラップ取り付け部（吊り金具）からストラップ長調節自在及び着脱自在のカメラ用肩がけストラップを双方個別に取り付け、且つ、その肩がけストラップに係脱自在のカメラ保護布を取り付けてたことを特徴とするカメラ用ショルダ−ストラップ。
【考案の詳細な説明】
【技術分野】
【０００１】  本考案はカメラを吊るすための左右のストラップ取り付け部へ各々１本の肩掛けストラップを取り付け、且つ、ストラップに保護布を取り付けたカメラ用ショルダ−ストラップに関するものである。
【背景技術】
【０００２】  デジタル一眼レフカメラの性能高度化によりカメラ及びレンズは大型化され、その重量は増加傾向にあるが、カメラ携帯用ストラップは首部に吊るすネックストラップのままである。
【考案の開示】
【考案が解決しようとする課題】
【０００３】  カメラ用ストラップは一般的には首部へ吊り下げるものでネックストラップと呼称されているが、大型デジタル一眼カメラの普及に伴ない重量が増加し、長時間携帯時には首部痛・肩こり・頭痛などが発症している。また他物へ衝突時の対人対物保護や衝撃による破損や風雨防塵などのカメラ本体保護ならびに発展途上国旅行時など他者に対する見せびらかし防止のためのカメラ隠しの必要性なども生じている。これらの種種の問題を抱えているのでこれらの問題を解決しようとするものである。
【課題を解決するための手段】
【０００４】  本考案は、カメラの一方のストラップ取り付け部（吊り金具）から１本のショルダ−ストラップを利用者の頭をくぐして肩上から反対側の脇下にまわし掛け、もう一方のストラップ取り付け部からも一本のストラップを同様に肩に掛け、２本のストラップは利用者の背面上部でエックス型に交差するよう着用し、カメラ荷重を両肩背面部に分散させて首部痛・肩こり・頭痛発症などの問題点を解決する。ストラップの長さ調節は調節具を取り付けて対応する。またストラップのカメラ上部にはカメラ保護布を取り付けて、対人対物保護やカメラ本体保護などの問題点をも解決し、且つ、カメラ保護布によりカメラ隠し機能を持たせるなど種種の問題点を解決している。
【考案の効果】
【０００５】  上述のように、大型カメラを長時間携帯時の首部痛・肩こり・頭痛発症などの問題を解決し、且つ、カメラ衝突時の対人対物保護やカメラ本体保護などの問題点をも解決し、カメラを他者に見せつけたくない場合のカメラ隠し機能を持たせるなど種種の問題点を解決しようとするものでカメラ用ストラップの利用価値を高めている。
【考案を実施するための最良の形態】
【０００６】  カメラ用ショルダ−ストラップは、カメラの一方のストラップ取り付け部（吊り金具）から１本の輪型に形成したストラップ長調節機能を有するショルダ−ストラップを取り付け、もう一方のストラップ取り付け部からもう一本のストラップを前記の反対側に同様に取り付ける。カメラ本体吊り金具への取り付具は、既存のネックストラップと併用するため吊り金具の穴を併用可能な太さとし、着脱が簡単にできるストラップ取り付具で形成する。カメラ保護布はカメラ本体及び突出したレンズを覆う大きさでウレタンなどを用い防水性を有するクッション性にも優れた材質を使用する。また、保護布のストラップへの取り付けは、着脱自在のクリップなどで固定できるよう形成する。
【実施例１】
【０００７】  以下、添付図面に従って一実施例を説明する。図１はカメラ用ショルダ−ストラップの全体構成図である。カメラ両端へ取り付けた二本の輪状ストラップは既存のネックストラップと利用上併用するもので、カメラ荷重はショルダ−ストラップ側にかけて使用する。ショルダ−ストラップはそれぞれ頭をくぐして肩から脇下にまわし掛けし、２本のストラップは利用者の背面上部でエックス型に交差するよう掛けてカメラ荷重を両肩背面部に分散させる。なお、カメラを体前ではなく体側面に肩から下げたい場合や肩から外したい場合などはショルダ−ストラップを肩に掛けたままカメラ取り付け部から一時外し、既存のネックストラップを従来のようにそのまま使用する。保護布はカメラ直上の二本のストラップ間をまたいで保護布の両上端を保護布がカメラを覆う位置にクリップなどで固定する。撮影時は保護布を上にカメラからめくってカメラを顔面部へ持ち上げ撮影するかまたはストラップより取り外すかしてカメラを露出させ使用する。
【実施例２】
【０００８】  身体前で携帯する種種の物品の運搬に使用する携帯ショルダ−ストラップ（ベルト）。
【図面の簡単な説明】
【０００９】
【図１】カメラ用ショルダ−ストラップの全体構成斜視図である
【図２】カメラ用ショルダ−ストラップカメラへの取り付け金具斜視図である。
【図３】保護布斜視図である。
【符号の説明】
【００１０】    １  カメラ本体
２  カメラ吊り金具
３  既存のネックストラップ
４  ショルダ−ストラップ本体
５  ショルダ−ストラップ取り付具
６  ショルダ−ストラップ長調節具
７  保護布
８  保護布取り付グリップ
【図１】
0003140915.tif 000003
【図２】
0003140915.tif 000004
【図３】
0003140915.tif 000005
(57)【要約】      （修正有）【課題】エレクトロニクス機器部品を組立てたバイク型装身具の提供。【解決手段】２個のドーナツ型溝付きゴムブッシュ１の開口部各々にナット２を挿通し、ドーナツ型溝付きゴムブッシュの溝にワイヤー３とワイヤー４を巻きつけ捩じり止めし、ワイヤーに薄型圧着端子５、圧着スリーブ６、ビーズ７を挿通、ワイヤーを左右に分け各々のワイヤーに銅玉８、コイル９を通し曲げ止めして固定し、バイクの前輪、ハンドルに見立て、ワイヤーに薄型圧着端子、圧着スリーブ、Ｒ型圧着端子１０を挿通し、ワイヤーの先を上下に分け、上部ワイヤーに銅玉、薄型圧着端子を挿通し、下部ワイヤーに銅玉、直管の順に挿通し、上下のワイヤーの先をドーナツ型溝付きゴムブッシュの溝に巻きつけ捩じり止めし、バイクの後輪、胴部サドルに見立てる。【選択図】図１
0003140919.tif 000002
【実用新案登録請求の範囲】
【請求項１】
２個のドーナツ型溝付きゴムブッシュ（１）の開口部各々にナット（２）を挿通し（図２）、ドーナツ型溝付きゴムブッシュ（Ａ）の溝にワイヤー（３）とワイヤー（４）を巻きつけ捩じり止めし、ワイヤー（３）に薄型圧着端子（５）、圧着スリーブ（６）、ビーズ（７）を挿通、ワイヤー（３）を左右に分け各々のワイヤー（３）に銅玉（８）、コイル（９）を通し曲げ止めして固定し、バイクの前輪、ハンドルに見立て、ワイヤー（４）に薄型圧着端子（５）、圧着スリーブ（６）、Ｒ型圧着端子（１０）を挿通し、ワイヤー（４）の先を上下に分け、上部ワイヤー（４）に銅玉（８）、薄型圧着端子（５）を挿通し、下部ワイヤー（４）に銅玉（８）、直管（１１）の順に挿通し、上下のワイヤー（４）の先をドーナツ型溝付きゴムブッシュ（Ｂ）の溝に巻きつけ捩じり止めし、バイクの後輪、胴部サドルに見立てたエレクトロニクス機器部品を組合せたバイク型装身具。
【考案の詳細な説明】
【技術分野】
【０００１】  本考案は、エレクトロニクス機器部品を組合せたバイク型装身具分野に関するものである。
【背景技術】
【０００２】  従来エレクトロニクス機器部品を組合せたバイク型装身具分野は開かれていない。
【考案の開示】
【考案が解決しようとする課題】
【０００３】従来のバイク型装身具は次のような課題があった。
（イ）素材自体の価値に意味を見てアイディアの面白いものは殆どなかった。
（ロ）装身具は装身具用として専用に創られるため、量産化はされずコストの高いものになっている。
本考案は、これらの課題を解決することを目的になされたものである。
【考案を解決するための手段】
【０００４】  エレクトロニクス機器部品の素材本来の用途・目的に拘わらず視点を変えて、部品どうしの連関性・相互の発展性・精密製・仕上げの良さ・耐久性蝕性・その他、このハイテクパーツ類の持つ属性を美しさとして捉え、機能的美しさを創出する今日的装身具化することで、新ジャンルを開く。
【考案の効果】
【０００５】  本考案は在来にない新しいハイテクイメージの装身具類のジャンルを開く。
【０００６】  素材の外観の美しさに意味があるため、外観が整っていれば内部に故障、欠陥があっても活用できる。
【０００７】  リサイクル品でも外観が整っていれば活用することができる。
【０００８】  エレクトロニクス機器部品の種類は多種多様にあるので、感性の赴くままその組合せによる新製品はほぼ無限に近い。
【考案を実施するための最良の形態】
【０００９】  素材本来の用途を廃棄し、視点を変えて単に無機的素材として捉え、ハイテクでありながらバイクの持つイメージを想起させることを追及した組合せの装身具としている。
【実施例】
【００１０】以下、実施例について図面を参照に説明すると、図１において本考案の一形態を例示している。２個のドーナツ型溝付きゴムブッシュ（１）の開口部各々にナット（２）を挿通し（図２）、ドーナツ型溝付きゴムブッシュ（Ａ）の溝にワイヤー（３）とワイヤー（４）を巻きつけ捩じり止めし、ワイヤー（３）に薄型圧着端子（５）、圧着スリーブ（６）、ビーズ（７）を挿通、ワイヤー（３）を左右に分け各々のワイヤー（３）に銅玉（８）、コイル（９）を通し曲げ止めして固定し、バイクの前輪、ハンドルに見立て、ワイヤー（４）に薄型圧着端子（５）、圧着スリーブ（６）、Ｒ型圧着端子（１０）を挿通し、ワイヤー（４）の先を上下に分け、上部ワイヤー（４）に銅玉（８）、薄型圧着端子（５）を挿通し、下部ワイヤー（４）に銅玉（８）、直管（１１）の順に挿通し、上下のワイヤー（４）の先をドーナツ型溝付きゴムブッシュ（Ｂ）の溝に巻きつけ捩じり止めし、バイクの後輪、胴部サドルに見立て組合せる。【００１１】  組立てたバイク型装身具に設けた吊り下げポイントはアクセサリーとして使用する場合のチェーン或いはリングフック、バチカン止め等に使用するためのポイントとして設けたものである。
【産業上の利用可能性】
【００１２】  本考案は、シンプルで安価なエレクトロニクス機器部品を生かした組み合わせのため低コストで生産が可能。【００１３】  簡易組み立てで量産性が高い。【００１４】  エレクトロニクス機器部品は新品でなくても使用可能でエコロジー効果があり、産業上の利用の可能性が高い。【００１５】  エレクトロニクス機器部品は世界共通性を持ち国際的にも産業化できる。【００１６】  新感覚の装身具であり幅広い年代層に対応できる。
【図面の簡単な説明】
【００１７】
【図１】本考案のエレクトロニクス機器部品を組合せたバイク装身具の外観透視図
【図２】図１のユニット展開図
【図３】図１の展開図
【符号の説明】
【００１８】  １    ドーナツ型溝付きゴムブッシュ
２    ナット
３    ワイヤー
４    ワイヤー
５    薄型圧着端子
６    圧着スリーブ
７    ビーズ
８    銅玉
９    コイル
１０  Ｒ型圧着端子
１１  直管
【図１】
0003140919.tif 000003
【図２】
0003140919.tif 000004
【図３】
0003140919.tif 000005
(57)【要約】      （修正有）【課題】従来なかった方法でパタ−が入らない問題の一端を解決し、ゴルフをより以上楽しめ愛好家の増加を目指す。【解決手段】ゴルフパタ−ヘッドのフェス打面の両側に安定舵を取り付けることにより、打球方向にパタ−がセットできスイング軌道が打球ラインと平行となるため打球方向が安定し、且つ、フェス打面の中心点で打つことが可能となり、ボ−ルのころがりが改善する。【選択図】図１
0003140913.tif 000002
【実用新案登録請求の範囲】
【請求項１】
ゴルフパタ−ヘッドのフェス打面の両側に、安定舵を取り付けたことを特徴とする安定舵付ゴルフパタ−。
【考案の詳細な説明】
【技術分野】
【０００１】  本考案はゴルフパタ−ヘッドのフェス打面の両側に安定舵を取り付けた安定舵付ゴルフパタ−に関するものである。
【背景技術】
【０００２】  ゴルフパタ−は、上手にゴルフボ−ルをころがし、うまくホ−ルへ入れたいとの顧客の強い要望から種種多彩、次から次へと新型が考案形成されている現状にある。
【考案の開示】
【考案が解決しようとする課題】
【０００３】  ゴルフゲ−ムは、ボ−ルを飛ばすショットとグリ−ン上でホ−ルに入れるパタ−の回数を競い楽しむゲ−ムであるが、特にグリ−ン上でホ−ルに入れるパタ−については体力や技術的な個人差の少ないゲ−ムとされており、特に一般アマチュアの初心者ではパタ−回数３回、４回、時々５回などパタ−下手は誠に悔しく無念でありゴルフの楽しさを見出せずゴルフから遠ざかってしまう一因でもある。パタ−ミスの要因はいろいろあるが一言で言えば打球の方向性が悪い、ボ−ルの打ち過ぎ又は打ち切れないでホ−ルまで届かないの２点である。このような要因を解決するため種種多様なデザインのパタ−が開発されているが、そこに新たな従来にない考案により初心者がより以上楽しめ、初心者の愛好家が増加するようパタ−が入らない問題の一端を解決しようとするものである。
【課題を解決するための手段】
【０００４】  本考案は、ゴルフパタ−ヘッドのフェス打面の両側に安定舵を取り付けることにより打球方向の安定性及びフェス打面の中心点で打つことが可能となり、従来なかったパタ−が入らない要因の一つを解決しようとするものである。
【考案の効果】
【０００５】  上述のように、本考案のゴルフパタ−ヘッドの打面のフェス両側に安定舵を取り付けることにより、パタ−を打球方向にセットできスイング軌道が打球ラインと平行となり打球方向が安定し、且つ、両側の安定舵の中央にボ−ルをセットすることによりフェス打面の中心点で打つことが可能で、これにより適切なボ−ルのころがりが得られ、ホ−ルにボ−ルが届かないことを解決することを特徴とし、従来なかった方法でパタ−が入らない問題をカバ−し、パタ−が入らない問題解決の一端を担うことができる。
【考案を実施するための最良の形態】
【０００６】  安定舵の形状は、打者が上方から見て打球方向を示す線状に見えるよう直径２ミリメ−トル程度の丸状又は四角状のものなどで形成する。突起長は２センチ程度以下の安定舵を取り付け取り外し自在式又は固定式としたもので金属片又は硬質プラスチック製等で形成する。取り外し自在とした場合の安定舵は紛失防止のためパタ−ヘッド後部に収用箇所を設けて取り付けておけばよい。
【実施例１】
【０００７】  以下、添付図面に従って一実施例を説明する。ゴルフパタ−ヘッドのフェス打面の両側に取り付ける安定舵は、フェス面より前方（打球方向）に突出したもので、両側から打つボ−ルを挟む形になるよう取り付けるものである。安定舵の取り付け位置は、打つためのセットアップ時及び打つ時点でもボ−ルに接触しないよう適度な間隔をもって形成しティクバック及び打時にグリ−ン芝に接触しないようフェス面の上部にとりつける。
【実施例２】
【０００８】  安定舵をパタ−本体から引き出し収納自在の引き出し式とした安定舵付ゴルフパタ−。
【図面の簡単な説明】
【０００９】
【図１】安定舵付パタ−の外観斜視図である。
【符号の説明】
【００１０】    １  パタ−ヘッド本体
２  シャフト
３  側面突起
４  フェス
５  安定舵
６  安定舵収納箇所（安定舵を取り外し自在とした場合）
【図１】
0003140913.tif 000003
(57)【要約】      （修正有）【課題】半袖服装および長袖服装を上衣着用のまま瞬時に変身できるもので、体温調節による健康性に留まらず個性的なファッション性などの付加価値も兼ねており上衣の利用価値を高める。【解決手段】半袖上衣着用のまま、別物としてセットで作られた長袖部を使用者の手作業によりボタン止めなどして半袖先端に着装し、長袖上衣に服装変えする。なお、その反対に長袖着用から長袖部分を取り外して半袖服装に服装変えすることも可能である。【選択図】図１
0003140914.tif 000002
【実用新案登録請求の範囲】
【請求項１】
半袖作りの上衣の半袖先端部分に別にセットで製造された長袖をボタン等で取り付け自在として長袖上衣にもなることを特徴とする半袖長袖兼用自在袖上衣。
【考案の詳細な説明】
【技術分野】
【０００１】  本考案は半袖作りの上衣であるが、半袖先端部分に別物としてセットで製造された長袖をボタン等で取り付け自在として長袖にもなる半袖長袖兼用自在袖上衣に関するものである。
【背景技術】
【０００２】  半袖上衣と長袖上衣は別々に製造し顧客に別物として使用されている。
【考案の開示】
【考案が解決しようとする課題】
【０００３】  一般的に夏季の服装として半袖が使用され、また、昨今の環境問題でのク−ルビス（夏の軽装化）が叫ばれ半袖が歓迎されているが、半袖上衣を使用する者の所在する環境の変化により長袖を欲することがあり、この場合別の上衣を用意するなどの準備が必要であった。このように半袖上衣の欠点を解決しようとするものである。
【課題を解決するための手段】
【０００４】  本考案は、半袖上衣着用のまま、別物としてセットで作られた長袖部を使用者の手作業によりボタン止めなどして半袖先端に着装し、長袖上衣に変身するもので、半袖上衣の欠点を解決している。
【考案の効果】
【０００５】  上述のように、本考案の半袖長袖兼用自在袖上衣は半袖服装および長袖服装を上衣着用のまま瞬時に変身できるもので、体温調節による健康性に留まらず個性的なファッション性などの付加価値も兼ねており上衣の利用価値を高めている。
【考案を実施するための最良の形態】
【０００６】  半袖長袖兼用自在袖上衣は、半袖上衣とセットで長袖部分を別物として形成する。半袖上衣は、袖の先端部分に長袖部が取り付けられるようボタン・ホック・マジックテ−プ（登録商標）・その他吊り紐やフックなどにより形成する。長袖部は、半袖に取り付けられるよう半袖の先端部分の長袖取り付け部に対応するボタンかけ穴などを形成し、両者をつなぎ合わせて目的を達成させる。
【施例１】
【０００７】  以下、添付図面に従って一実施例を説明する。半袖から長袖に服装変えする場合は個別にセットで形成された長袖を着装するもので、また、反対に長袖服装から半袖服装に変える場合は長袖部分を取り外せばよい。長袖部分の取り付け及び取り外しの方法はデザイン的にも考慮し次のように行う。
▲１▼半袖先端にボタン穴もしくはボタンを取り付け、付随する長袖にも同様に半袖と対応するボタン穴もしくはボタンを取り付け繋ぎ合わせる。
▲２▼半袖先端にホックを取り付け上記▲１▼と同様に繋ぎ合わせる。
▲３▼半袖先端にマジックテ−プ（登録商標）を取り付け上記▲１▼と同様に繋ぎ合わせる。
▲４▼その他半袖先端に吊り紐やフックなどにより上記▲１▼と同様に繋ぎ合わせる。
【実施例２】
【０００８】  上衣ではなく下衣に適用した半ズボン長ズボン兼用自在ズボン。
【図面の簡単な説明】
【０００９】
【図１】半袖長袖兼用自在袖上衣の外観斜視図である。
【符号の説明】
【００１０】    １  半袖上衣本体
２  半袖部
３  長袖本体
４  ボタン穴
５  ボタン
【図１】
0003140914.tif 000003
(57)【要約】      （修正有）【課題】炭酸ガス、窒素酸化物の発生の少ない内燃機関の開発、ポンプ類の省エネ対策、小規模水資源の有効利用が可能な羽根型回転体の提供。【解決手段】円形のハウジング内に主軸を中心に６〜８枚の羽根と一体になった羽根車、主軸とは別の中心を持つ円筒形を羽根の数の２倍に分割したものを組み合わせた回転体である。ハウジングと羽根車の先端は密接しており羽根車の間の分割された円弧もハウジングの両側の溝に組み込まれており、羽根の回転と共に羽根間の空間は変位する。内燃機関として用いるときは燃料の爆発燃焼によりハウジングないに於いて広がりの大きい方向に羽根が移動し動力となる。ポンプ類として用いる時は主軸に外部から動力を与えて回転させると広がりを持つ側が吸引となり、狭くなる側が圧力を持った吐出口となる構造である。【選択図】図１
0003140945.tif 000002
【実用新案登録請求の範囲】
【請求項１】
円形のハウジング内を、１．主軸と一体となつた６^8枚の放射状の羽根車と、２．円形のハウジング内を羽根車の主軸とは別の中心を持つ、羽根の数の２倍に分割した円筒形で、１の羽根車と２の分割された円筒形の組み合わされた羽根型回転体
【考案の詳細な説明】
【技術分野】
【０００１】
本考案は内燃機関、ポンプ類、水車類の使用に関する。
【背景技術】
【０００２】
従来の内燃機関はピストン型とロータリー型が使用されている。
【０００３】
ポンプ類も効率を向上させれば省エネに役立つ。
【考案の開示】
【考案が解決しようとする課題】
【０００４】
ピストン型、ロウタリー型の内燃機関は機械効率が悪い。
【課題を解決するための手段】
【０００５】
そこで図１、図２の通り円形のハウジング内に、主軸を中心に放射状に等分した６＾８枚の羽根を主軸と一体化した羽根車と、同一のハウジング内に羽根車と、中心を別にした羽根の２倍に分割された円筒形を組み合わせた羽根型回転体を考案した。分割した円筒形はハウジングに
円形の溝があり、その溝に沿って回転する。羽根と羽根の間の円筒は羽根の回転位置により伸び縮みするとき継ぎ目でスライドする。
【考案の効果】
【０００６】
羽根型回転体は同一方向に回転するため効率が良い。
ジェツトエンジンに用いられる燃焼筒を併用すれば強力な動力が得られる。
【０００７】
内燃機関に限らずポンプ類、小型水車、小型蒸気機関にも使用できる。
【考案を実施するための最良の形態】
【０００８】
羽根とハウジングの間隙を回転を自由に保持できる範囲で最小限とする。
【０００９】
羽根車と共に回転する円筒の偏心の大きさは使用目的と回転体の大きさで決める。
【００１０】
偏心した分割円筒はハウジングに溝を設け、円滑に回転できるよう円筒の内側にベアリングをもうける。図２
【００１１】
分割した円筒と羽根の接触面は摺動しながら回転するので羽根を挟んで連結する。図４−ａ、図―ｂ。
【実施例１】
【００１２】
図１は本考案の装置で水素を燃料とする内燃機関に適用したものである。
【実施例２】
【００１３】
図５は本考案装置の液体ポンプに使用したものである。
【実施例３】
【００１４】
儒６は本考案の装置を小型水車、に適用したものである。
【産業上の利用可能性】
【００１５】
自動車、小型の動力機械の内燃機関に利用できる。
【００１６】
油圧ポンプ、揚水ポンプとしてりようできる。
【００１７】
生コン圧送ポンプに利用できる。
【００１８】
図７エャーコンプレっッサー、真空ポンプに利用できる。
【図面の簡単な説明】
【００１９】
【図１】羽根型回転体の（回転方向）断面図である。
【図２】羽根型回転体の（軸方向）断面図である。
【図３】ガソリン等の燃料の供給、排気の位置をしめした図。
【図４−ａ】羽根と分割円筒の密接を保持する部品の説明図。
【図４−ｂ】図４−ａの部品を方向を変えて見た図。
【図５】液体ポンプ、の吸入口と吐出口の関係図。
【図６】エャコンプレッサーの吸入口と吐出口の関係図。
【図７】水車の水圧供給口と排出口の関係図。
【符号の説明】
【００２０】
１  ハウジング
２  羽根車
３  主軸
４  分割円筒
５  吸入口  （供給口）
６  吐出口  （排出口）
８  分割円筒支えベアリング
９  分割円筒の接ぎ部品
１０  分割円筒内側のポンプ作用による抵抗を防止する空洞
１１  点火装置
１２  主軸のベアリング
【図１】
0003140945.tif 000003
【図２】
0003140945.tif 000004
【図３】
0003140945.tif 000005
【図４−ａ】
0003140945.tif 000006
【図４−ｂ】
0003140945.tif 000007
【図５】
0003140945.tif 000008
【図６】
0003140945.tif 000009
【図７】
0003140945.tif 000010
(57)【要約】      （修正有）【課題】従来と略同じ形状でも剛性に優れ、従来と比較してシート厚の薄い食品容器を提供する。【解決手段】食品容器１は、熱可塑性樹脂シートからなり、蓋部２の側壁面２ａと上面２ｂとの接合部４及び／又は容器本体部３の側壁面３ａと底面３ｂとの接合部７を角張らせて形成した角部５としてあることを特徴とする。  この食品容器の前記角部の角度は、９０°〜１２０°とするのが好ましい。  このような構成とすることにより、角部で荷重を支え、従来よりも剛性のある食品容器となり、シート厚を薄くすることができる。【選択図】図２
0003140941.tif 000002
【実用新案登録請求の範囲】
【請求項１】
蓋部の側壁面と上面との接合部及び／又は容器本体部の側壁面と底面との接合部を角張らせて形成した角部としてある熱可塑性樹脂シートからなる食品容器。
【請求項２】
前記角部の角度を９０°〜１２０°とした請求項１に記載に食品容器。
【考案の詳細な説明】
【技術分野】
【０００１】
本考案は、熱可塑性樹脂シートからなり、食品などを包装する食品容器に関する。
【背景技術】
【０００２】
食品容器は、運搬や陳列するために積み重ねられることがある。このため、容器が押し潰され変形しないようにリブを設けたり、形状を凝らしたりして剛性をもたせている。
例えば、側壁に多数のリブを設けた容器（下記特許文献１参照）や、天面部と側壁部の境界部に糸尻状凸部を設けた容器（下記特許文献２参照）などが開発されている。
【０００３】
【特許文献１】特開２０００−２５７３６号公報
【特許文献２】実用新案登録第３１３１４４９号公報
【考案の開示】
【考案が解決しようとする課題】
【０００４】
従来の食品容器は、上記特許文献１の図４にも示すように、蓋部の側壁面と上面又は容器本体部の側壁面と底面の接合部は、滑らかに円弧状に形成されていた。
本考案者は、鋭意研究した結果、接合部を円弧状に形成すると容器の剛性が弱まることを見出して本考案を成し得た。
【０００５】
そこで、本考案の目的は、従来と略同じ形状でも剛性に優れ、シート厚を薄くすることができる食品容器を提供することにある。
【課題を解決するための手段】
【０００６】
本考案の食品容器は、熱可塑性樹脂シートからなり、蓋部の側壁面と上面との接合部及び／又は容器本体部の側壁面と底面との接合部を角張らせて形成した角部としたことを特徴とする。
【０００７】
このような構成とすることにより、角部で荷重を支えることができ、蓋部及び／又は容器本体部の剛性が強まり、変形しにくい食品容器になり、そのため、従来の容器と比較してシート厚を薄くすることができる。
【０００８】
上記食品容器は、前記角部の角度を９０°〜１２０°とすることが好ましい。
【０００９】
研究した結果、角度をこの範囲内にすることにより、特に剛性の優れた食品容器になる。
【考案を実施するための最良の形態】
【００１０】
以下、本考案の第一実施形態の食品容器を説明する。
図１は本考案の一実施形態の食品容器の斜視図、図２は図１の食品容器の端面図である。
【００１１】
本考案の一実施形態の食品容器１は、図１に示すように、平面視略矩形状に形成してあり、蓋部２と容器本体部３とからなる。
食品容器１は、例えば、ポリスチレン系樹脂シート、ポリエチレン系樹脂シート、ポリプロピレン系樹脂シート、ポリエチレンテレフタレート系樹脂シートなどの熱可塑性樹脂シートを、真空成形、圧空成形、真空圧空成形、熱板成形などの熱成形をして製造することができる。
【００１２】
蓋部２は、側壁面２ａと上面２ｂとを有し、側壁面２ａと上面２ｂとの接合部４は、図２に示すように、それぞれの面を交差させ角張らせた角部５として形成し、つまり、円弧状にせずに形成してある。
角部５の角度（図２のＸ）は、９０°〜１２０°にするのがよく、この範囲であると剛性が特に優れたものとなる。
角部５は、熱成形する際、型を角張らせておくことなどにより形成することができる。
また、側壁面２ａと上面２ｂの周縁には縦方向のリブ２ｃが複数形成してあり、このようにリブ２ｃを設けるとより剛性が増したものとなる。
【００１３】
容器本体部３は、内部を区画して複数の収納部６を設けてあり、各収納部６は、側壁面３ａと底面３ｂを有し、側壁面３ａと底面３ｂとの接合部７は、図２に示すように、それぞれの面を交差させ角張らせた角部８として形成し、つまり、円弧状にせずに形成してある。
角部８の角度（図２のＹ）は、９０°〜１２０°にするのがよく、この範囲であると剛性が特に優れたものとなる。
角部８は、上記角部５と同様に、熱成形する際、型を角張らせておくことなどにより形成することができる。
また、側壁面３ａと底面３ｂの周縁には縦方向のリブ３ｃが複数形成してあり、このようにリブ３ｃを設けるとより剛性が増したものとなる。
【００１４】
食品容器１は、蓋部２の側壁面２ａと上面２ｂとの接合部４を、円弧状にせず角部５として形成し、また、容器本体部３の側壁面３ａと底面３ｂとの接合部７を、円弧状にせず角部８として形成したため、剛性に優れたものである。そのため、従来と比較してシート厚の薄い食品容器１とすることができる。
上記実施形態では、複数の収納部６を形成してあるが、これに限定するものではなく、少なくとも一つの収納部を有する食品容器としてあればよい。
【００１５】
上記実施形態において、図３に示すように、リブを設けない食品容器１ａとすることもできる。
このようにしても、剛性があり、従来と比較してシート厚の薄い食品容器とすることができる。
【００１６】
他の実施形態としては、図４に示す食品容器１１を挙げることができ、この食品容器１１は、蓋部２１の一縁部と容器本体部３１の一縁部とを連ねて、蓋部２１と容器本体部３１とを一体的に形成したものであり、図５に示すように、蓋部２１の側壁面２１ａと上面２１ｂとの接合部４１を角張らせた角部５１として形成し、容器本体部３１の側壁面３１ａと底面３１ｂとの接合部７１を角張らせた角部８１として形成してあり、剛性に優れたものである。そのため、従来と比較してシート厚の薄い食品容器１１とすることができる。
【００１７】
上記実施形態の構成態様は、本考案を限定するものとして挙げたものではなく、技術目的を共通にするかぎり変更は可能であり、本考案はそのような変更を含むものである。
【図面の簡単な説明】
【００１８】
【図１】本考案の食品容器の一実施形態の斜視図である。
【図２】図１の食品容器の横端面図である。
【図３】図１の食品容器の変形例を示す斜視図である。
【図４】本考案の食品容器の他の実施形態の斜視図である。
【図５】図４の食品容器の横端面図である。
【符号の説明】
【００１９】
１食品容器  ２蓋部  ２ａ側壁面  ２ｂ上面  ３容器本体部  ３ａ側壁面  ３ｂ底面  ４接合部  ５角部  ６収納部  ７接合部  ８角部
【図１】
0003140941.tif 000003
【図２】
0003140941.tif 000004
【図３】
0003140941.tif 000005
【図４】
0003140941.tif 000006
【図５】
0003140941.tif 000007
(57)【要約】【課題】インスタント食品を調理せずにそのまま食べることができ、温めて食べたい場合は電子レンジにより間単に温めることができ、調味料が添載されていることを消費者が認知可能とする。【解決手段】電子レンジによる調理に対応可能な合成樹脂からなる食品収容器と調理を必要としない食品を容器収容することで、そのまま食べることもでき、温めて食べる場合は電子レンジにより温めることができる。また、小袋に入れた調味料を食品収容器の上面に添載し、密着係止した透明状の樹脂性上蓋を取り付けることにより、調味料が添載されていることを消費者が認知することができる。【選択図】図１
0003140989.tif 000002
【実用新案登録請求の範囲】
【請求項１】
電子レンジによる調理に対応可能な合成樹脂からなる食品収容器と食品収容器の上面に熱圧着された合成樹脂保護シートと保護シートが熱圧着された食品収容器の上部外周に密着係止する凸形状の樹脂性上蓋からなり、食品収容器の内部には食品を収容し、上蓋内部には調味料を入れた小袋を収容したことを特徴とする食品収容器。
【請求項２】
食品収容器は円筒形状からなり、底部径より上部径が大きいことを特徴とする請求項1の食品収容器。
【請求項３】
上蓋は透明性の合成樹脂からできていることを特徴とする請求項２の食品収容器。
【考案の詳細な説明】
【技術分野】
【０００１】
本考案は、食品収容器に関するものであり、特に、消費者が調理することなく食する食品等の食品容器であって、容器及びその上蓋に関するものである。
【背景技術】
【０００２】
食品収容器としてインスタントラーメン等のインスタント食品や、カップ入りのスナック菓子の容器がこれまで使用されている。
【０００３】
これらの容器は、発泡スチロール等で構成されお湯を注いでインスタント食品を加熱し、乾燥状態から乾燥前の状態に戻すことにより食べる方法がとられている。
【０００４】
しかし、インスタントラーメン等のインスタント食品は、お湯を注いでインスタント食品を加熱し、乾燥状態から元の状態に戻さなければ食べることができず、食べたい時に手間をかけなければ食べることができないといった欠点がある。
【０００５】
また、温めて食べたい場合に食品をそのまま電子レンジで温めることができず、お湯等注いで温めることから湯量に差異が生じ、調味料の量の加減のみでなく、湯量に影響を受けることから一定の味付けができない問題が生じている。
【特許文献１】特開２０００−３１８７６６
【特許文献２】特開２００４−１９６４１６
【考案の開示】
【考案が解決しようとする課題】
【０００６】
解決しようとする問題点は、食品がお湯を注ぐ等の手間をかけなければ食べられず、温めて食したい場合に簡単に温めることができず、調味料で一定の味付けができない点である。
【課題を解決するための手段】
【０００７】
本考案は、食品収容器を電子レンジによる調理に対応可能な合成樹脂とすることで、
消費者が調理することなく食する食品等を食品収容器の内部に収容し、食品収容器の上面に熱圧着された合成樹脂保護シートを剥がして取り除くことにより食品をそのまま食べることができ、温めたい場合には電子レンジでそのまま温めることができ、樹脂性上蓋内部に収容された小袋より調味料を取り出し一定の味に味付け可能にしたことを最も主要な特徴とする。
【考案の効果】
【０００８】
本考案の食品収容器は、電子レンジによる調理に対応可能な合成樹脂からなり、そのまま食べることができる食品が収容され、小袋に入れられた調味料を備えていることから、食品をそのまま食べることができること、食品を一定の味に味付けが可能なこと、また電子レンジによる調理に対応可能な合成樹脂であることから、温めて食べたい場合は電子レンジで簡単に温めることができるという利点がある。
【考案を実施するための最良の形態】
【０００９】
食品を食べたい場合はお湯を注ぐことなく一定の味に味付けして食べることができ、温めて食べたい場合は電子レンジで温めて食べることができるという目的を、最小の容器点数で、嵩張ることなく実現した。
【実施例１】
【００１０】
図１は、本考案食品収容容器の１実施例の全体及び容器内を示す断面図であって、１〜５は、図２と同様である。
【００１１】
食品収容器１は電子レンジによる調理に対応可能な合成樹脂からできており、調理加工された食品４が食品収容器１に収容されている。食品収容器１の上面は合成樹脂保護シート３により熱圧着により密封されている。このことにより、食品４が汁気を含んでいる場合でも食品収容器１が倒れ、又は上下逆に置かれても汁気が漏れ出すことはない。
【００１２】
インスタントラーメン等のインスタント食品には、調味料が準備されている場合もあるが、容器内に収容されており、気づかずにお湯を注いだ場合は取り出すことが困難である。
【００１３】
本考案食品収容容器は、食品収容容器１の内部に食品を収容し、食品収容器１の上面に合成樹脂保護シート３が熱圧着され、合成樹脂保護シート３の上面に調味料を入れた小袋５を添載し、食品収容容器１の上面に熱圧着された合成樹脂保護シート３の外周に密着係止する凸形状の樹脂性上蓋２を備えていることを特徴とする。
【００１４】
樹脂性上蓋２を透明状とすることで調味料を入れた小袋５を消費者は認知することができるが、食品収容容器１の構造から樹脂性上蓋２を取り外すことでも認知できる。
【００１５】
インスタントラーメン等のインスタント食品の容器の場合は、容器内に食品と調味料の小袋を一緒に収容しており、気づかずにお湯を注ぐ過ちを多々犯すが本考案食品収容容器１はこの点でも欠点が解消されている。
【産業上の利用可能性】
【００１６】
電子レンジによる調理に対応可能な合成樹脂からなる食品収容器と調理を必要としない食品を容器収容することで、そのまま食べることもでき、温めて食べる場合は電子レンジにより温めることができる。また、調味料も消費者が確実に認知することができることから、インスタント食品の容器として適用できる。
【図面の簡単な説明】
【００１７】
【図１】食品収容容器の全体及び容器内を示す断面図である。
【図２】食品収容容器の上蓋を係止する前の全体及び容器内を示す断面図である。
【符号の説明】
【００１８】
１    食品収容容器
２    凸形状の樹脂性上蓋
３    合成樹脂保護シート
４    食品
５    調味料を入れた小袋
【図１】
0003140989.tif 000003
【図２】
0003140989.tif 000004